(57)【要約】【課題】インダクタンスの低減を図ることができるコンデンサ装置及び電力変換装置を提供する。【解決手段】電子部品と電子部品端子とを有する各相の電子部品モジュール１Ｕ、１Ｖ、１Ｗと、コンデンサセルを有し電気的に接続可能であり電子部品端子１２、１３を挿入可能な電気接続孔２１ａ、２１ｂが形成されたコンデンサモジュール２とを備える。そして、電子部品端子１２、１３が電気接続孔２１ａ、２１ｂに挿入されて電子部品端子１２、１３に電気的に接続されると共に各相の電子部品モジュール１Ｕ、１Ｖ、１Ｗ等及びコンデンサモジュール２が一体成形される。【選択図】図６
2006136189.tif 000002
【特許請求の範囲】
【請求項１】
他部品の接続端子を挿入可能であり電気的に接続可能な正極側及び負極側の電気接続孔が形成され、
前記電気接続孔に電気的に接続可能なコンデンサセルと、
正極側の前記電気接続孔に電気的に接続可能なコンデンサ正極側端子と、
負極側の前記電気接続孔に電気的に接続可能なコンデンサ負極側端子と、
を有することを特徴とするコンデンサ装置。
【請求項２】
前記電気接続孔は、貫通孔である請求項１記載のコンデンサ装置。
【請求項３】
前記電気接続孔は、凹部である請求項１記載のコンデンサ装置。
【請求項４】
前記コンデンサ正極側端子及び前記コンデンサ負極側端子は、板状からなり、
正極側の前記凹部は、前記コンデンサ正極側端子に形成される正極側切欠部を含み、
負極側の前記凹部は、前記コンデンサ負極側端子に形成される負極側切欠部を含む請求項３記載のコンデンサ装置。
【請求項５】
前記コンデンサセルは、正極側端面及び負極側端面を有する柱状からなり、
前記コンデンサ正極側端子は、少なくとも前記コンデンサセルの前記正極側端面に当接する平板部を有し、
前記コンデンサ負極側端子は、少なくとも前記コンデンサセルの前記負極側端面に当接する平板部を有し、
前記正極側切欠部及び前記負極側切欠部は、前記コンデンサセルの柱直交方向へ切欠き形成される請求項４記載のコンデンサ装置。
【請求項６】
前記コンデンサセルは、正極側端面及び負極側端面を有する柱状からなり、
前記コンデンサ正極側端子は、少なくとも、前記コンデンサセルの前記正極側端面に当接する正極第１板部と、該正極第１板部に略直交方向に屈曲形成され前記コンデンサセルの外周面に隣接する正極第２板部とを有し、
前記コンデンサ負極側端子は、少なくとも、前記コンデンサセルの前記負極側端面に当接する負極第１板部と、該負極第１板部に略直交方向に屈曲形成され前記コンデンサセルの外周面を介して前記正極第２板部に対向する負極第２板部とを有し、
前記正極側切欠部は、少なくとも前記正極第２板部に前記コンデンサセルの柱方向へ切欠き形成され、
前記負極側切欠部は、少なくとも前記負極第２板部に前記コンデンサセルの柱方向へ切欠き形成される請求項４記載のコンデンサ装置。
【請求項７】
前記コンデンサセルは、正極側端面及び負極側端面を有する柱状からなり、
前記コンデンサ正極側端子及び前記コンデンサセル負極側端子の何れか一方は、少なくとも、前記コンデンサセルの前記正極側端面及び前記負極側端面の何れか一方に当接する第１板部と、該第１板部に略直交方向に屈曲形成され前記コンデンサセルの外周面に隣接する第２板部とを有し、
前記コンデンサ正極側端子及び前記コンデンサ負極側端子の他方は、少なくとも前記正極側端面及び前記負極側端面の他方に当接する平板部を有し、
前記正極側切欠部及び前記負極側切欠部の何れか一方は、少なくとも前記第２板部に前記コンデンサセルの柱方向へ切欠き形成され、
前記正極側切欠部及び前記負極側切欠部の他方は、少なくとも前記平板部に前記コンデンサセルの柱直交方向へ切欠き形成される請求項４記載のコンデンサ装置。
【請求項８】
前記コンデンサ正極側端子及び前記コンデンサ負極側端子の少なくとも何れか一方は、前記正極側切欠部又は前記負極側切欠部に接合され且つ少なくとも外方に突出形成される突出板を有する請求項４〜７の何れか一項に記載のコンデンサ装置。
【請求項９】
前記コンデンサ正極側端子及び前記コンデンサ負極側端子の少なくとも何れか一方は、前記正極側切欠部又は前記負極側切欠部に接合され且つ少なくとも外方に突出して対向配置される一対の対向板を有する請求項４〜７の何れか一項に記載のコンデンサ装置。
【請求項１０】
前記凹部を形成し且つ凹幅間隔を弾性的に変化可能な凹状弾性部を備える請求項３記載のコンデンサ装置。
【請求項１１】
前記凹状弾性部は、凹幅方向に突出し且つ前記他部品の接続端子に係合可能な突起部を有する請求項１０記載のコンデンサ装置。
【請求項１２】
前記コンデンサセルは、複数であり、
前記電気接続孔は、隣接する前記コンデンサセルの間に形成される請求項１〜１１の何れか一項に記載のコンデンサ装置。
【請求項１３】
正極側の前記電気接続孔は、複数であり、
負極側の前記電気接続孔は、複数であり、正極側の前記電気接続孔に略平行に形成される請求項１〜１２の何れか一項に記載のコンデンサ装置。
【請求項１４】
電子部品と前記電子部品に電気的に接続された１以上の接続端子とを有する電子部品モジュールと、
前記電子部品モジュールの前記接続端子を挿入可能かつ前記接続端子に電気的に接続可能な電気接続孔が形成され、前記電気接続孔に電気的に接続可能なコンデンサセルを有し、前記電子部品モジュールと一体成形されたコンデンサモジュールと、
を備えることを特徴とする電力変換装置。
【請求項１５】
前記電子部品モジュールの前記接続端子は、前記電子部品の正極側に電気的に接続された電子部品正極側端子と前記電子部品の負極側に電気的に接続された電子部品負極側端子とからなり、
前記電気接続孔は、前記電子部品正極側端子を挿入可能な正極側の電気接続孔と前記電子部品負極側端子を挿入可能な負極側の電気接続孔からなる請求項１４記載の電力変換装置。
【請求項１６】
前記コンデンサモジュールは、正極側の前記電気接続孔に電気的に接続可能なコンデンサ正極側端子と負極側の前記電気接続孔に電気的に接続可能なコンデンサ負極側端子とを有し、
前記電子部品正極側端子が正極側の前記電気接続孔に挿入されて前記電子部品正極側端子及び前記コンデンサ正極側端子が直接的に電気的に接続され、
前記電子部品負極側端子が負極側の前記電気接続孔に挿入されて前記電子部品負極側端子及び前記コンデンサ負極側端子が直接的に電気的に接続される請求項１５記載の電力変換装置。
【請求項１７】
前記電子部品モジュールは、複数である請求項１４〜１６の何れか一項に記載の電力変換装置。
【請求項１８】
前記電気接続孔は、貫通孔である請求項１４〜１７記載の電力変換装置。
【請求項１９】
前記電気接続孔は、凹部である請求項１４〜１７記載の電力変換装置。
【請求項２０】
前記コンデンサ正極側端子及び前記コンデンサ負極側端子は、板状からなり、
正極側の前記凹部は、前記コンデンサ正極側端子に形成される正極側切欠部を含み、
負極側の前記凹部は、前記コンデンサ負極側端子に形成される負極側切欠部を含む請求項１９記載の電力変換装置。
【請求項２１】
前記コンデンサセルは、正極側端面及び負極側端面を有する柱状からなり、
前記コンデンサ正極側端子は、少なくとも前記コンデンサセルの前記正極側端面に当接する平板部を有し、
前記コンデンサ負極側端子は、少なくとも前記コンデンサセルの前記負極側端面に当接する平板部を有し、
前記正極側切欠部及び前記負極側切欠部は、前記コンデンサセルの柱直交方向へ切欠き形成される請求項２０記載の電力変換装置。
【請求項２２】
前記コンデンサセルは、正極側端面及び負極側端面を有する柱状からなり、
前記コンデンサ正極側端子は、少なくとも、前記コンデンサセルの前記正極側端面に当接する正極第１板部と、該正極第１板部に略直交方向に屈曲形成され前記コンデンサセルの外周面に隣接する正極第２板部とを有し、
前記コンデンサ負極側端子は、少なくとも、前記コンデンサセルの前記負極側端面に当接する負極第１板部と、該負極第１板部に略直交方向に屈曲形成され前記コンデンサセルの外周面を介して前記正極第２板部に対向する負極第２板部とを有し、
前記正極側切欠部は、少なくとも前記正極第２板部に前記コンデンサセルの柱方向へ切欠き形成され、
前記負極側切欠部は、少なくとも前記負極第２板部に前記コンデンサセルの柱方向へ切欠き形成される請求項２０記載の電力変換装置。
【請求項２３】
前記コンデンサセルは、正極側端面及び負極側端面を有する柱状からなり、
前記コンデンサ正極側端子及び前記コンデンサセル負極側端子の何れか一方は、少なくとも、前記コンデンサセルの前記正極側端面及び前記負極側端面の何れか一方に当接する第１板部と、該第１板部に略直交方向に屈曲形成され前記コンデンサセルの外周面に隣接する第２板部とを有し、
前記コンデンサ正極側端子及び前記コンデンサ負極側端子の他方は、少なくとも、前記正極側端面及び前記負極側端面の他方に当接する平板部を有し、
前記正極側切欠部及び前記負極側切欠部の何れか一方は、少なくとも前記第２板部に前記コンデンサセルの柱方向へ切欠き形成され、
前記正極側切欠部及び前記負極側切欠部の他方は、少なくとも前記平板部に前記コンデンサセルの柱直交方向へ切欠き形成される請求項２０記載の電力変換装置。
【請求項２４】
前記正極側切欠部及び前記負極側切欠部の少なくとも何れか一方は、前記電子部品正極側端子又は前記負極側端子に溶接接続される請求項２０〜２３の何れか一項に記載の電力変換装置。
【請求項２５】
前記コンデンサ正極側端子及び前記コンデンサ負極側端子の少なくとも何れか一方は、前記正極側切欠部又は前記負極側切欠部に接合され且つ少なくとも外方に突出形成され、前記電子部品正極側端子又は前記電子部品負極側端子に溶接接続される突出板を有する請求項２４記載の電力変換装置。
【請求項２６】
前記コンデンサ正極側端子及び前記コンデンサ負極側端子の少なくとも何れか一方は、前記正極側切欠部又は前記負極側切欠部に接合され且つ少なくとも外方に突出して対向配置され、前記電子部品正極側端子又は前記電子部品負極側端子に溶接接続される一対の対向板を有する請求項２４記載の電力変換装置。
【請求項２７】
前記凹部を形成し且つ凹幅間隔を弾性的に変化可能であり、前記電子部品モジュールの前記接続端子を押圧保持する凹状弾性部を備える請求項１９記載の電力変換装置。
【請求項２８】
前記凹状弾性部は、凹幅方向に突出し且つ前記電子部品モジュールの前記接続端子に係合可能な突起部を有する請求項２７記載の電力変換装置。
【請求項２９】
前記コンデンサセルは、複数であり、
前記電気接続孔は、隣接する前記コンデンサセルの間に形成される請求項１４記載の電力変換装置。
【請求項３０】
正極側の前記電気接続孔は、複数であり、
負極側の前記電気接続孔は、複数であり、正極側の前記電気接続孔に略平行に形成される請求項１５記載の電力変換装置。
【請求項３１】
前記接続端子は、貫通孔が形成され、
前記コンデンサモジュールは、締結穴が形成され、
前記貫通孔を貫通させ前記締結穴に締結する締結部材を備える請求項１４記載の電力変換装置。
【請求項３２】
前記電気接続孔に挿入可能かつ前記接続端子を前記電気接続孔に押圧保持するくさび状部を有するくさび状保持部を備える請求項１４記載の電力変換装置。
【請求項３３】
前記くさび状保持部は、前記くさび状部に連結され貫通孔が形成された保持部を有し、
前記コンデンサモジュールは、締結穴が形成され、
前記貫通孔を貫通させ前記締結穴に締結して前記くさび状保持部を前記コンデンサモジュールに固定する締結部材を備える請求項３２記載の電力変換装置。
【請求項３４】
前記電気接続孔は、複数からなり、
前記くさび状保持部は、複数の前記電気接続孔に挿入可能な複数の前記くさび状部と、複数の前記くさび状部をそれぞれ連結し貫通孔が形成された連結保持部とを有し、
前記コンデンサモジュールは、締結穴が形成され、
前記貫通孔を貫通させ前記締結穴に締結して前記くさび状保持部を前記コンデンサモジュールに固定する締結部材を備える請求項３２記載の電力変換装置。
【発明の詳細な説明】
【技術分野】
【０００１】
本発明は、コンデンサ装置及びこのコンデンサ装置を有する電力変換装置に関するものである。
【背景技術】
【０００２】
従来のコンデンサ装置は、複数の電子部品とコンデンサとがバスバ配線により並列接続されている（例えば、特許文献１参照）。
【特許文献１】特開平５−８３９５４号公報
【発明の開示】
【発明が解決しようとする課題】
【０００３】
しかし、バスバ配線により電子部品（例えば半導体素子）とコンデンサとを接続しているので、配線インダクタンスが生じる。
【０００４】
本発明は、このような事情に鑑みて為されたものであり、インダクタンスの低減を図ることができるコンデンサ装置及び電力変換装置を提供することを目的とする。
【課題を解決するための手段及び発明の効果】
【０００５】
（１）コンデンサ装置
本発明のコンデンサ装置は、他部品の接続端子を挿入可能であり電気的に接続可能な正極側及び負極側の電気接続孔が形成され、前記電気接続孔に電気的に接続可能なコンデンサセルと、正極側の前記電気接続孔に電気的に接続可能なコンデンサ正極側端子と、負極側の前記電気接続孔に電気的に接続可能なコンデンサ負極側端子と、を有することを特徴とする。
【０００６】
ここで、本発明のコンデンサ装置に例えばスイッチング素子などの電子部品を接続する際に、電子部品の接続端子をコンデンサ装置の電気接続孔に挿入することで、両者を直接的に電気的に接続することができる。すなわち、配線によることなく、電子部品の接続端子とコンデンサ装置とを電気的に接続することができる。さらに、コンデンサ装置の電気接続孔に電子部品の接続端子を挿入することにより、電子部品とコンデンサ装置とを一体成型することができ、装置全体として小型化を図ることができる。
【０００７】
なお、前記電気接続孔は、貫通孔としてもよいし、凹部としてもよい。例えば、コンデンサ装置の厚さがそれほど厚くない場合には、電気接続孔を貫通孔とすることは非常に容易である。一方、コンデンサ装置の厚さが厚い場合には、電気接続孔を凹部とする方が容易である。なお、凹部とは、コンデンサ装置の外形から見た場合における凹み部分に相当し、貫通していないことを意味する。
【０００８】
また、前記コンデンサ正極側端子及び前記コンデンサ負極側端子は、板状からなり、正極側の前記凹部は、前記コンデンサ正極側端子に形成される正極側切欠部を含み、負極側の前記凹部は、前記コンデンサ負極側端子に形成される負極側切欠部を含むようにしてもよい。このように、それぞれの切欠部をそれぞれの端子に直接的に形成することで、インダクタンスをより低減することができる。
【０００９】
また、前記コンデンサセルは、正極側端面及び負極側端面を有する柱状からなり、前記コンデンサ正極側端子は、少なくとも前記コンデンサセルの前記正極側端面に当接する平板部を有し、前記コンデンサ負極側端子は、少なくとも前記コンデンサセルの前記負極側端面に当接する平板部を有し、前記正極側切欠部及び前記負極側切欠部は、前記コンデンサセルの柱直交方向へ切欠き形成されるようにしてもよい。これにより、電子部品などの他部品をコンデンサセルの柱直交方向からコンデンサ装置の電気接続孔へ挿入するように配置することができる。なお、コンデンサセルの正極側端面及び負極側端面は、真円形及び楕円形などの円形、四角形などの多角形、四角形の角部にＲ面取りやＣ面取りなどを施した形状などを含む。すなわち、コンデンサセルの柱状とは、例えば、真円柱状及び楕円柱状などの円柱状、及び、四角柱状などの角柱状などの種々の柱状を含む。
【００１０】
また、前記コンデンサセルは、正極側端面及び負極側端面を有する柱状からなり、前記コンデンサ正極側端子は、少なくとも、前記コンデンサセルの前記正極側端面に当接する正極第１板部と、該正極第１板部に略直交方向に屈曲形成され前記コンデンサセルの外周面に隣接する正極第２板部とを有し、前記コンデンサ負極側端子は、少なくとも、前記コンデンサセルの前記負極側端面に当接する負極第１板部と、該負極第１板部に略直交方向に屈曲形成され前記コンデンサセルの外周面を介して前記正極第２板部に対向する負極第２板部とを有し、前記正極側切欠部は、少なくとも前記正極第２板部に前記コンデンサセルの柱方向へ切欠き形成され、前記負極側切欠部は、少なくとも前記負極第２板部に前記コンデンサセルの柱方向へ切欠き形成されるようにしてもよい。これにより、コンデンサセルの柱方向から電子部品などの他部品をコンデンサ装置の電気接続孔へ挿入するように配置することができる。
【００１１】
また、前記コンデンサセルは、正極側端面及び負極側端面を有する柱状からなり、前記コンデンサ正極側端子及び前記コンデンサセル負極側端子の何れか一方は、少なくとも、前記コンデンサセルの前記正極側端面及び前記負極側端面の何れか一方に当接する第１板部と、該第１板部に略直交方向に屈曲形成され前記コンデンサセルの外周面に隣接する第２板部とを有し、前記コンデンサ正極側端子及び前記コンデンサ負極側端子の他方は、少なくとも前記正極側端面及び前記負極側端面の他方に当接する平板部を有し、前記正極側切欠部及び前記負極側切欠部の何れか一方は、少なくとも前記第２板部に前記コンデンサセルの柱方向へ切欠き形成され、前記正極側切欠部及び前記負極側切欠部の他方は、少なくとも前記平板部に前記コンデンサセルの柱直交方向へ切欠き形成されるようにしてもよい。これにより、電子部品などの他部品をコンデンサセルの柱方向からコンデンサ装置の電気接続孔へ挿入するように配置することができる。
【００１２】
前記コンデンサ正極側端子及び前記コンデンサ負極側端子の少なくとも何れか一方は、前記正極側切欠部又は前記負極側切欠部に接合され且つ少なくとも外方に突出形成される突出板を有するようにしてもよい。これにより、突出板に他部品の接続端子を容易に且つ確実に溶接により接合することができる。つまり、溶接の作業性が非常に良好となる。
【００１３】
前記コンデンサ正極側端子及び前記コンデンサ負極側端子の少なくとも何れか一方は、前記正極側切欠部又は前記負極側切欠部に接合され且つ少なくとも外方に突出して対向配置される一対の対向板を有するようにしてもよい。これにより、対向板に他部品の接続端子を容易に且つ確実に溶接により接合することができる。つまり、溶接の作業性が非常に良好となる。
【００１４】
また、前記凹部を形成し且つ凹幅間隔を弾性的に変化可能な凹状弾性部を備えるようにしてもよい。凹状弾性部は、凹幅間隔を弾性的に変化可能であるので、確実に他部品の接続端子に当接することができる。さらに、凹状弾性部の弾性力により、他部品の接続端子を押圧することができる。これにより、コンデンサ装置の凹状弾性部に対して他部品の接続端子を位置決めすることができる。
【００１５】
また、前記凹状弾性部は、凹幅方向に突出し且つ前記他部品の接続端子に係合可能な突起部を有するようにしてもよい。突起部を有することで、より確実に他部品の接続端子を位置決めすることができる。
【００１６】
また、前記コンデンサセルは複数であり、前記電気接続孔は隣接する前記コンデンサセルの間に形成されるようにするとよい。コンデンサセルの間を電気接続孔に利用することで、別途電気接続孔のスペースを確保する必要がなく、結果としてコンデンサ装置の小型化を図ることができる。
【００１７】
また、正極側の前記電気接続孔は複数であり、負極側の前記電気接続孔は複数であり、正極側の前記電気接続孔に略平行に形成されるようにしてもよい。これにより、複数の他部品を整列した状態で、それぞれの他部品の接続端子を電気接続孔に挿入することができる。なお、これら複数の電気接続孔の形状は、上述した種々の形状を組み合わせたものとしてもよい。
【００１８】
（２）電力変換装置
本発明の電力変換装置は、電子部品と前記電子部品に電気的に接続された１以上の接続端子とを有する電子部品モジュールと、前記電子部品モジュールの前記接続端子を挿入可能かつ前記接続端子に電気的に接続可能な電気接続孔が形成され、前記電気接続孔に電気的に接続可能なコンデンサセルを有し、前記電子部品モジュールと一体成形されたコンデンサモジュールと、を備えることを特徴とする。
【００１９】
このように、本発明の電力変換装置は、コンデンサモジュールに電気接続孔を形成することにより、電子部品モジュールの接続端子とコンデンサモジュールとを直接的に電気的に接続することができる。すなわち、配線によることなく、電子部品モジュールの接続端子とコンデンサモジュールとを電気的に接続することができる。その結果、配線によるインダクタンスを低減することができる。さらに、コンデンサモジュールの電気接続孔に電子部品モジュールの接続端子を挿入することにより、電子部品モジュールとコンデンサモジュールとを一体成形しているので、電力変換装置の小型化を図ることができる。
【００２０】
また、本発明の電力変換装置において、前記コンデンサモジュールは、正極側の前記電気接続孔に電気的に接続可能なコンデンサ正極側端子と負極側の前記電気接続孔に電気的に接続可能なコンデンサ負極側端子とを有し、前記電子部品正極側端子が正極側の前記電気接続孔に挿入されて前記電子部品正極側端子及び前記コンデンサ正極側端子が直接的に電気的に接続され、前記電子部品負極側端子が負極側の前記電気接続孔に挿入されて前記電子部品負極側端子及び前記コンデンサ負極側端子が直接的に電気的に接続されるようにしてもよい。ここで、直接的に電気的に接続とは、電子部品端子とコンデンサ端子とが銅などの配線パターンにより接続される場合、はんだなどの導電性材料により接続される場合などを含む。ここで、コンデンサ正極側端子及びコンデンサ負極側端子は、それぞれ電源などに接続される。
【００２１】
また、前記電気接続孔と前記電子部品モジュールの接続端子との一体成形は、例えば、導電性接着材料などを電気接続孔のうち当該接続端子との隙間に注入するようにしてもよい。もちろん、電気接続孔に電子部品モジュールの接続端子を係合したり、嵌合したり、溶接したり、別途固定部材により固定したりすることにより一体成形してもよい。
【００２２】
また、前記電子部品モジュールは、複数としてもよい。この場合、電力変換装置は、複数の電子部品モジュールと１つのコンデンサモジュールにより構成される。この電子部品モジュールを構成する電子部品をスイッチング素子とする場合には、複数の電子部品モジュールは、例えば、Ｕ相のスイッチング素子を含む電子部品モジュール、Ｖ相のスイッチング素子を含む電子部品モジュール、及びＷ相のスイッチング素子を含む電子部品モジュールなどとすることができる。この場合の各相のスイッチング素子を含む電子部品モジュールは、直列接続された２つのスイッチング素子が含まれている。この場合には、各相のスイッチング素子を含む電子部品モジュールは、電子部品正極側端子と電子部品負極側端子と出力用端子とを有しており、電子部品正極側端子及び電子部品負極側端子がコンデンサモジュールの電気接続孔に挿入されることになる。
【００２３】
なお、上記のように電子部品モジュールの電子部品をスイッチング素子とした場合には、例えば、Ｕ相上アーム用、Ｕ相下アーム用、Ｖ相上アーム用、Ｖ相下アーム用、Ｗ相上アーム用、及びＷ相下アーム用のスイッチング素子からなるようにしてもよい。この場合は、各電子部品モジュールは、電子部品正極側端子と電子部品負極側端子とを有しており、何れか一方の端子がコンデンサモジュールの電気接続孔に挿入されることになる。
【００２４】
また、前記電子部品は、上述したスイッチング素子の他に、例えばダイオードなどの半導体素子を含む。また、スイッチング素子としては、例えば、ＭＯＳＦＥＴ、ＩＧＢＴなどである。
【００２５】
また、前記電気接続孔は、貫通孔としてもよいし、凹部としてもよい。例えば、コンデンサモジュールの厚さがそれほど厚くない場合には、電気接続孔を貫通孔とすることは非常に容易である。一方、コンデンサモジュールの厚さが厚い場合には、電気接続孔を凹部とする方が容易である。なお、凹部とは、コンデンサモジュールの外形から見た場合における凹み部分に相当し、貫通していないことを意味する。
【００２６】
また、前記コンデンサ正極側端子及び前記コンデンサ負極側端子は、板状からなり、正極側の前記凹部は、前記コンデンサ正極側端子に形成される正極側切欠部を含み、負極側の前記凹部は、前記コンデンサ負極側端子に形成される負極側切欠部を含むようにしてもよい。このように、それぞれの切欠部をそれぞれの端子に直接的に形成することで、インダクタンスをより低減することができる。
【００２７】
また、前記コンデンサセルは、正極側端面及び負極側端面を有する柱状からなり、前記コンデンサ正極側端子は、少なくとも前記コンデンサセルの前記正極側端面に当接する平板部を有し、前記コンデンサ負極側端子は、少なくとも前記コンデンサセルの前記負極側端面に当接する平板部を有し、前記正極側切欠部及び前記負極側切欠部は、前記コンデンサセルの柱直交方向へ切欠き形成されるようにしてもよい。これにより、電子部品モジュールをコンデンサセルの柱直交方向からコンデンサモジュールの電気接続孔へ挿入するように配置することができる。
【００２８】
また、前記コンデンサセルは、正極側端面及び負極側端面を有する柱状からなり、前記コンデンサ正極側端子は、少なくとも、前記コンデンサセルの前記正極側端面に当接する正極第１板部と、該正極第１板部に略直交方向に屈曲形成され前記コンデンサセルの外周面に隣接する正極第２板部とを有し、前記コンデンサ負極側端子は、少なくとも、前記コンデンサセルの前記負極側端面に当接する負極第１板部と、該負極第１板部に略直交方向に屈曲形成され前記コンデンサセルの外周面を介して前記正極第２板部に対向する負極第２板部とを有し、前記正極側切欠部は、少なくとも前記正極第２板部に前記コンデンサセルの柱方向へ切欠き形成され、前記負極側切欠部は、少なくとも前記負極第２板部に前記コンデンサセルの柱方向へ切欠き形成されるようにしてもよい。これにより、電子部品モジュールをコンデンサセルの柱方向からコンデンサモジュールの電気接続孔へ挿入するように配置することができる。
【００２９】
また、前記コンデンサセルは、正極側端面及び負極側端面を有する柱状からなり、前記コンデンサ正極側端子及び前記コンデンサセル負極側端子の何れか一方は、少なくとも、前記コンデンサセルの前記正極側端面及び前記負極側端面の何れか一方に当接する第１板部と、該第１板部に略直交方向に屈曲形成され前記コンデンサセルの外周面に隣接する第２板部とを有し、前記コンデンサ正極側端子及び前記コンデンサ負極側端子の他方は、少なくとも、前記正極側端面及び前記負極側端面の他方に当接する平板部を有し、前記正極側切欠部及び前記負極側切欠部の何れか一方は、少なくとも前記第２板部に前記コンデンサセルの柱方向へ切欠き形成され、前記正極側切欠部及び前記負極側切欠部の他方は、少なくとも前記平板部に前記コンデンサセルの柱直交方向へ切欠き形成されるようにしてもよい。これにより、電子部品モジュールをコンデンサセルの柱方向からコンデンサモジュールの電気接続孔へ挿入するように配置することができる。
【００３０】
前記正極側切欠部及び前記負極側切欠部の少なくとも何れか一方は、前記電子部品正極側端子又は前記負極側端子に溶接接続されるようにしてもよい。溶接接続により、電気接続孔であるそれぞれの切欠部と電子部品のそれぞれの端子とを容易に電気的に接続することができる。
【００３１】
また、前記コンデンサ正極側端子及び前記コンデンサ負極側端子の少なくとも何れか一方は、前記正極側切欠部又は前記負極側切欠部に接合され且つ少なくとも外方に突出形成され、前記電子部品正極側端子又は前記電子部品負極側端子に溶接接続される突出板を有するようにしてもよい。これにより、突出板に電子部品正極側端子及び電子部品負極側端子それぞれを容易に且つ確実に溶接により接合することができる。つまり、溶接の作業性が非常に良好となる。
【００３２】
また、前記コンデンサ正極側端子及び前記コンデンサ負極側端子の少なくとも何れか一方は、前記正極側切欠部又は前記負極側切欠部に接合され且つ少なくとも外方に突出して対向配置され、前記電子部品正極側端子又は前記電子部品負極側端子に溶接接続される一対の対向板を有するようにしてもよい。これにより、対向板に電子部品正極側端子及び電子部品負極側端子それぞれを容易に且つ確実に溶接により接合することができる。つまり、溶接の作業性が非常に良好となる。
【００３３】
また、前記凹部を形成し且つ凹幅間隔を弾性的に変化可能であり、前記電子部品モジュールの前記接続端子を押圧保持する凹状弾性部を備えるようにしてもよい。凹状弾性部は、凹幅間隔を弾性的に変化可能であるので、確実に電子部品モジュールの接続端子に当接することができる。さらに、凹状弾性部の弾性力により、電子部品モジュールの接続端子を押圧することができる。これにより、コンデンサモジュールの凹状弾性部に対して電子部品モジュールの接続端子を位置決めすることができる。
【００３４】
また、前記凹状弾性部は、凹幅方向に突出し且つ前記電子部品モジュールの前記接続端子に係合可能な突起部を有するようにしてもよい。突起部を有することで、より確実に電子部品モジュールの接続端子を位置決めすることができる。
【００３５】
また、前記コンデンサセルは複数であり、前記電気接続孔は隣接する前記コンデンサセルの間に形成されるようにするとよい。コンデンサセルの間を電気接続孔に利用することで、別途電気接続孔のスペースを確保する必要がなく、結果としてコンデンサモジュールの小型化を図ることができる。
【００３６】
また、正極側の前記電気接続孔は複数であり、負極側の前記電気接続孔は複数であり、正極側の前記電気接続孔に略平行に形成されるようにしてもよい。これにより、複数の電子部品モジュールを整列した状態で、それぞれの電子部品モジュールの接続端子を電気接続孔に挿入することができる。
【００３７】
また、前記接続端子は、貫通孔が形成され、前記コンデンサモジュールは、締結穴が形成され、前記貫通孔を貫通させ前記締結穴に締結する締結部材を備えるようにしてもよい。つまり、締結部材により、電子部品モジュールの接続端子とコンデンサモジュールとを確実に固定することができる。
【００３８】
また、前記電気接続孔に挿入可能かつ前記接続端子を前記電気接続孔に押圧保持するくさび状部を有するくさび状保持部を備えるようにしてもよい。くさび状保持部により、電子部品モジュールの接続端子をコンデンサモジュールの電気接続孔へ確実に接触させると共に、当該接続端子とコンデンサモジュールとを確実に固定することができる。
【００３９】
また、前記くさび状保持部は、前記くさび状部に連結され貫通孔が形成された保持部を有し、前記コンデンサモジュールは、締結穴が形成され、前記貫通孔を貫通させ前記締結穴に締結して前記くさび状保持部を前記コンデンサモジュールに固定する締結部材を備えるようにしてもよい。つまり、締結部材により、くさび状保持部とコンデンサモジュールとを確実に固定することができる。ひいては、締結部材により、電子部品モジュールの接続端子とコンデンサモジュールとを確実に固定することができる。
【００４０】
また、前記電気接続孔は複数からなり、前記くさび状保持部は複数の前記電気接続孔に挿入可能な複数の前記くさび状部と、複数の前記くさび状部をそれぞれ連結し貫通孔が形成された連結保持部とを有し、前記コンデンサモジュールは締結穴が形成され、前記貫通孔を貫通させ前記締結穴に締結して前記くさび状保持部を前記コンデンサモジュールに固定する締結部材を備えるようにしてもよい。
【００４１】
このように、くさび状保持部は複数のくさび状部を有するので、締結部材を一度取り付けるのみにより、複数の電子部品モジュールの接続端子をコンデンサモジュールへ固定することができる。つまり、非常に簡易な作業により、確実に複数の電子部品モジュールの接続端子をコンデンサモジュールへ固定することができる。
【実施例】
【００４２】
次に、実施例を挙げて、本発明をより具体的に説明する。
【００４３】
（１）コンデンサモジュールの回路構成
本実施例のコンデンサモジュールの回路構成について図１を参照して説明する。図１（ａ）〜（ｃ）は、それぞれ本実施例のコンデンサモジュールの回路図を示す。図１（ａ）〜（ｃ）に示すように、コンデンサモジュールは、複数個のコンデンサセルと、正極側端子（Ｐ端子）と、負極側端子（Ｎ端子）とを有している。そして、このコンデンサモジュールには、図１（ａ）〜（ｃ）に示すような複数の電気接続孔が形成されている。
【００４４】
ここで、図１（ａ）に示すコンデンサモジュールにおける電気接続孔は、一のコンデンサセルの正極側と隣り合うように並列接続された他のコンデンサセルの正極側との間に形成されている。さらに、図１（ａ）に示す電気接続孔は、一のコンデンサセルの負極側と隣り合うように並列接続された他のコンデンサセルの負極側との間に形成されている。つまり、４個のコンデンサセルが並列接続されている場合には、正極側及び負極側にそれぞれ３つの電気接続孔が形成される。
【００４５】
また、図１（ｂ）に示すコンデンサモジュールにおける電気接続孔は、それぞれのコンデンサセルの正極側及び負極側に形成されている。そして、一のコンデンサセルの正極側に形成された電気接続孔は、他のコンデンサセルの正極側に形成された電気接続孔に電気的に接続されている。さらに、一のコンデンサセルの正極側に形成された電気接続孔は、正極側端子に電気的に接続されている。また、一のコンデンサセルの負極側に形成された電気接続孔は、他のコンデンサセルの負極側に形成された電気接続孔に電気的に接続されている。さらに、一のコンデンサセルの負極側に形成された電気接続孔は、負極側端子に電気的に接続されている。
【００４６】
また、図１（ｃ）に示すコンデンサモジュールにおける電気接続孔は、それぞれのコンデンサセルの正極側と正極側端子との接続位置に形成されている。さらに、図１（ｃ）に示す電気接続孔は、一のコンデンサセルの負極側と負極側端子との接続位置に形成されている。つまり、３個のコンデンサセルが並列接続されている場合には、それぞれのコンデンサセルの正極側及び負極側に３つの電気接続孔が形成される。
【００４７】
（２）電力変換装置の回路構成
まず、本実施例の電力変換装置の回路構成について図２を参照して説明する。図２は、本実施例の電力変換装置の回路図を示す。図２に示すように、電力変換装置は、電力変換回路１とコンデンサ２とから構成される。
【００４８】
電力変換回路１は、６つのＩＧＢＴからなるスイッチング素子（電子部品）から構成されている。具体的には、電力変換回路１は、Ｕ相電子部品１Ｕと、Ｖ相電子部品１Ｖと、Ｗ相電子部品１Ｗとから構成され、各相の電子部品１Ｕ、１Ｖ、１Ｗがそれぞれ並列接続されている。さらに、Ｕ相電子部品１Ｕは、Ｕ相上アーム用電子部品ＵＵと、Ｕ相下アーム用電子部品ＵＬが直列接続されている。また、Ｖ相電子部品１Ｖは、Ｖ相上アーム用電子部品ＶＵと、Ｖ相下アーム用電子部品ＶＬが直列接続されている。また、Ｗ相電子部品１Ｗは、Ｗ相上アーム用電子部品ＷＵと、Ｗ相下アーム用電子部品ＷＬが直列接続されている。そして、各相の上アーム用電子部品と下アーム用電子部品との間から、例えば、３相交流モータ等に接続する出力線が出力されている。
【００４９】
コンデンサ（コンデンサモジュール）２は、電力変換回路１に並列接続されている。具体的には、コンデンサ２の正極側が各相の電子部品１Ｕ、１Ｖ、１Ｗの一端側（正極側）に接続され、コンデンサ２の負極側が各相の電子部品１Ｕ、１Ｖ、１Ｗの他端側（負極側）に接続されている。また、このコンデンサ２は、バッテリ（図示せず）などに接続されている。
【００５０】
（３）電力変換装置の外観構成
次に、本実施例の電力変換装置の外観構成について参照して説明する。ここで、本実施例の電力変換装置は、Ｕ相電子部品モジュール１Ｕと、Ｖ相電子部品モジュール１Ｖと、Ｗ相電子部品モジュール１Ｗと、コンデンサモジュール２とから構成される。ここで、Ｕ相電子部品モジュール１Ｕは上述のＵ相電子部品１Ｕに相当し、Ｖ相電子部品モジュール１Ｖは上述のＶ相電子部品１Ｖに相当し、Ｗ相電子部品モジュール１Ｗは上述のＷ相電子部品１Ｗに相当する。以下に、各相の電子部品モジュール１Ｕ、１Ｖ、１Ｗの外観構成とコンデンサモジュール２の外観構成とをそれぞれ説明した後に、電力変換装置全体の外観構成を説明する。
【００５１】
（３．１）各相の電子部品モジュール１Ｕ、１Ｖ、１Ｗの外観構成
各相の電子部品モジュール１Ｕ、１Ｖ、１Ｗの外観構成について図３を参照して説明する。図３は、各相の電子部品モジュール１Ｕ、１Ｖ、１Ｗの外観構成を示す斜視図である。ここで、各相の電子部品モジュール１Ｕ、１Ｖ、１Ｗは、それぞれ同一形状からなる。そこで、以下、Ｕ相電子部品モジュール１Ｕについてのみ説明することにする。
【００５２】
図３に示すように、Ｕ相電子部品モジュール１Ｕは、電子部品筐体部１１と、電子部品正極側端子１２と、電子部品負極側端子１３と、出力端子１４と、信号端子１５とから構成される。電子部品筐体部１１は、ほぼ矩形扁平形状からなる。そして、電子部品筐体部１１の内部には、Ｕ相上アーム用電子部品ＵＵとＵ相下アーム用電子部品ＵＬとが収納されている。
【００５３】
電子部品正極側端子１２は、矩形形状の平板からなる金属製バスバーである。そして、電子部品正極側端子１２の一端側は、電子部品筐体部１１から外部側、具体的には電子部品筐体部１１の扁平面に略平行な方向（図３における上側）に突出している。この電子部品正極側端子１２の他端側は、電子部品筐体部１１に収納されているＵ相上アーム用電子部品ＵＵの正極側に電気的に接続されている。
【００５４】
電子部品負極側端子１３は、矩形形状の平板からなる金属製バスバーである。そして、電子部品負極側端子１３の一端側は、電子部品筐体部１１から外部側、具体的には電子部品筐体部１１の扁平面に略平行な方向（図３における上側）に突出している。さらに、電子部品負極側端子１３の一端側は、電子部品正極側端子１２の一端側にほぼ平行に、かつ、電子部品正極側端子１２の一端側に近接した位置に配置されている。この電子部品負極側端子１３の他端側は、電子部品筐体部１１に収納されているＵ相下アーム用電子部品ＵＬの負極側に電気的に接続されている。
【００５５】
出力端子１４は、略Ｌ字型の平板からなる金属製バスバーである。ただし、出力端子１４は、略Ｌ字型に限られることなく、単に矩形形状などとしてもよい。そして、出力端子１４の一端側は、電子部品筐体部１１から外部側、具体的には、電子部品筐体部１１の扁平面に略平行な方向（図３における上側）に突出している。さらに、出力端子１４の一端側は、電子部品負極側端子１３のうち電子部品正極側端子１２の反対側に配置されている。この出力端子１４の他端側は、電子部品筐体部１１に収納されているＵ相上アーム用電子部品ＵＵとＵ相下アーム用電子部品ＵＬとの中間位置に電気的に接続されている。
【００５６】
信号端子１５は、金属製からなる。そして、信号端子１５の一端側は、電子部品筐体部１１から外部側、具体的には電子部品筐体部１１の扁平面に略平行な方向（図３における下側）に突出している。つまり、信号端子１５は、電子部品正極側端子１２の一端側、電子部品負極側端子１３の一端側、及び出力端子１４の一端側とは反対側に突出している。この信号端子１５の他端側は、電子部品筐体部１１に収納されているＵ相上アーム用電子部品ＵＵのゲート及びＵ相下アーム用電子部品ＵＬのゲートにそれぞれ電気的に接続されている。
【００５７】
（３．２）コンデンサモジュール２の外観構成
次に、コンデンサモジュール２の外観構成について図４を参照して説明する。図４は、コンデンサモジュール２の外観構成を示す斜視図である。コンデンサモジュール２は、図４に示すように、コンデンサ筐体部２１と、コンデンサ正極側端子２２と、コンデンサ負極側端子２３と、コンデンサセル（図示せず）とから構成される。
【００５８】
コンデンサ筐体部２１は、ほぼ矩形扁平形状からなる。そして、コンデンサ筐体部２１の内部には、コンデンサセルが収納されている。さらに、コンデンサ筐体部２１には、貫通孔からなる３つの正極側電気接続孔２１ａ及び３つの負極側電気接続孔２１ｂが形成されている。正極側電気接続孔２１ａ及び負極側電気接続孔２１ｂは、コンデンサ筐体部２１の扁平面に垂直方向に貫通されている。そして、正極側電気接続孔２１ａの大きさは、電子部品モジュール１Ｕ、１Ｖ、１Ｗの電子部品正極側端子１２が挿入可能な大きさとしている。また、負極側電気接続孔２１ｂの大きさは、電子部品モジュール１Ｕ、１Ｖ、１Ｗの電子部品負極側端子１３が挿入可能な大きさとしている。
【００５９】
また、３つの正極側電気接続孔２１ａは、それぞれ連続的にかつ等間隔に形成されている。また、３つの負極側電気接続孔２１ｂは、それぞれ連続的にかつ等間隔に形成されている。この正極側電気接続孔２１ａと負極側電気接続孔２１ｂとの間隔は、上述した電子部品モジュール１Ｕ、１Ｖ、１Ｗの電子部品正極側端子１２１と電子部品負極側端子１３との間隔とほぼ同一である。さらに、正極側電気接続孔２１ａと負極側電気接続孔２１ｂとは、それぞれ平行な位置に形成されている。この正極側電気接続孔２１ａは、コンデンサ筐体部２１に収納されているコンデンサセルの正極側に電気的に接続されている。また、負極側電気接続孔２１ｂは、コンデンサ筐体部２１に収納されているコンデンサセルの負極側に電気的に接続されている。
【００６０】
コンデンサ正極側端子２２は、矩形形状の平板からなる金属製バスバーである。そして、コンデンサ正極側端子２２の一端側は、コンデンサ筐体部２１から外部側、具体的にはコンデンサ筐体部２１の扁平面に略平行な方向（図４における手前側）に突出している。このコンデンサ正極側端子２２の他端側は、コンデンサ筐体部２１に収納されているコンデンサセルの正極側に電気的に接続されている。
【００６１】
コンデンサ負極側端子２３は、矩形形状の平板からなる金属製バスバーである。そして、コンデンサ負極側端子２３の一端側は、コンデンサ筐体部２１から外部側、具体的にはコンデンサ筐体部２１の扁平面に略平行な方向（図４における手前側）に突出している。さらに、コンデンサ負極側端子２３の一端側は、コンデンサ正極側端子２２の一端側にほぼ平行に、かつ、コンデンサ正極側端子２２の一端側に近接した位置に配置されている。このコンデンサ負極側端子２３の他端側は、コンデンサ筐体部２１に収納されているコンデンサセルの負極側に電気的に接続されている。
【００６２】
なお、それぞれの電気接続孔２１ａ、２１ｂの間隔は、例えば、電子部品モジュール１Ｕ、１Ｖ、１Ｗや周辺部品の大きさなどにより適宜変更することができる。また、それぞれの電気接続孔２１ａ、２１ｂの間隔は、等間隔に限られるものではない。
【００６３】
（３．３）電力変換装置全体の外観構成
次に、電力変換装置全体の外観構成について図５〜図７を参照して説明する。図５は、電力変換装置全体の外観構成を示す斜視図である。図６は、図５のＡ−Ａ断面図を示す。図７は、図５のＢ−Ｂ断面図を示す。
【００６４】
電力変換装置は、上述したように、Ｕ相電子部品モジュール１Ｕと、Ｖ相電子部品モジュール１Ｖと、Ｗ相電子部品モジュール１Ｗと、コンデンサモジュール２とから構成される。具体的には、コンデンサモジュール２の正極側電気接続孔２１ａ及び負極側電気接続孔２１ｂに、Ｕ相電子部品モジュール１Ｕ、Ｖ相電子部品モジュール１Ｖ、及びＷ相電子部品モジュール１Ｗの電子部品正極側端子１２及び電子部品負極側端子１３が挿入される。具体的には、図５〜図７に示すように、３つの正極側電気接続孔２１ａに、Ｕ相電子部品モジュール１Ｕ、Ｖ相電子部品モジュール１Ｖ、及びＷ相電子部品モジュール１Ｗの電子部品正極側端子１２が挿入される。また、３つの負極側電気接続孔２１ｂに、Ｕ相電子部品モジュール１Ｕ、Ｖ相電子部品モジュール１Ｖ、及びＷ相電子部品モジュール１Ｗの電子部品負極側端子１３が挿入される。
【００６５】
このとき、電子部品モジュール１Ｕ、１Ｖ、１Ｗの出力端子１４は、コンデンサモジュール２の側方（図７の左側）に配置されるようになる。そして、それぞれの正極側電気接続孔２１ａ及び負極側電気接続孔２１ｂには、導電性接着材料が注入される。これにより、コンデンサモジュール２とそれぞれの電子部品モジュール１Ｕ、１Ｖ、１Ｗとが一体的に成形される。さらに、コンデンサモジュール２の正極側電気接続孔２１ａとそれぞれの電子部品モジュール１Ｕ、１Ｖ、１Ｗの電子部品正極側端子１２とが電気的に接続される。すなわち、電子部品正極側端子１２が、コンデンサモジュール２のコンデンサ正極側端子２２に直接的に電気的に接続されることになる。
【００６６】
そして、コンデンサモジュール２の負極側電気接続孔２１ｂとそれぞれの電子部品モジュール１Ｕ、１Ｖ、１Ｗの電子部品負極側端子１３とが電気的に接続される。すなわち、電子部品負極側端子１３が、コンデンサモジュール２のコンデンサ負極側端子２３に直接的に電気的に接続されることになる。
【００６７】
このように、配線を用いることなく、電子部品モジュール１Ｕ、１Ｖ、１Ｗの各端子とコンデンサモジュール２の各端子とが直接的に電気的に接続されることにより、インダクタンスを低減することができる。さらに、コンデンサモジュール２に形成された電気接続孔２１ａ、２１ｂに電子部品モジュール１Ｕ、１Ｖ、１Ｗの各電子部品端子１２、１３を挿入することにより一体成形しているので、電力変換装置全体として小型化を図ることができる。
【００６８】
なお、電子部品モジュール１Ｕ、１Ｖ、１Ｗの出力端子１４と正極側電気接続孔２１ａ又は負極側電気接続孔２１ｂとは、例えば、両者を係合したり、嵌合したり、溶接したり、別途固定部材により固定してもよい。
【００６９】
（４）電力変換装置の他の実施例
次に、電力変換装置の他の実施例について図面を参照して説明する。
【００７０】
（４．１）コンデンサモジュール２の他の実施例
まずは、電力変換装置を構成するコンデンサモジュール２の他の実施例について、図８及び図９を参照して説明する。図８及び図９は、それぞれコンデンサモジュール２の斜視図を示す。なお、図８及び図９は、下面側が手前側に見えるような斜視図としている。図８に示すコンデンサモジュール２は、コンデンサ筐体部２１の下面側に、凹部からなる３つの正極側電気接続孔２１ａ及び凹部からなる３つの負極側電気接続孔２１ｂが形成されている。また、図９に示すコンデンサモジュール２は、コンデンサ筐体部２１の下面角部に、凹部からなる３つの正極側電気接続孔２１ａ及び凹部からなる３つの負極側電気接続孔２１ｂが形成されている。
【００７１】
そして、これら凹部は、略矩形形状をなしている。具体的には、凹部は、電子部品モジュール１Ｕ、１Ｖ、１Ｗの電子部品正極側端子１２又は電子部品負極側端子１３の矩形板状よりも僅かに大きな略矩形形状をなしている。つまり、これら凹部からなる電気接続孔２１ａ、２１ｂの大きさは、電子部品モジュール１Ｕ、１Ｖ、１Ｗの電子部品正極側端子１２又は電子部品負極側端子１３が挿入可能な大きさとしている。
【００７２】
（４．２）コンデンサモジュール２の内部の詳細構成
コンデンサモジュール２の内部の詳細構成について、図１０〜図１９を参照して説明する。図１０〜図１６及び図１８は、それぞれコンデンサモジュール２の内部の詳細構成、すなわちコンデンサ筐体部２１の内部構成の斜視図を示す。図１７は、図１６のコンデンサモジュール２を構成する切欠部の断面形状を示す図である。図１９は、図１８のコンデンサモジュール２を構成する切欠部の断面形状を示す図である。
【００７３】
図１０〜図１９にそれぞれ示すように、コンデンサモジュール２の内部は、コンデンサ正極側端子２２、コンデンサ負極側端子２３、及び複数のコンデンサセル２４から構成されている。なお、図１０〜図１９に示すコンデンサ正極側端子２２及びコンデンサ負極側端子２３は、上記実施例におけるコンデンサ正極側端子２２及びコンデンサ負極側端子２３に相当する。
【００７４】
そして、図１０〜図１９に示すように、コンデンサセル２４は、例えば略円柱状からなる。そして、このコンデンサセル２４の一端面側は、正極側の端面をなしており、コンデンサセル２４の他端面側は、負極側の端面をなしている。以下に、図１０〜図１９のそれぞれのコンデンサモジュール２の内部構成について詳細に説明する。
【００７５】
（ａ）まずは、図１０に示すコンデンサモジュール２の内部構成の第１実施例について詳細に説明する。このコンデンサモジュール２のコンデンサ正極側端子２２及びコンデンサ負極側端子２３は、平板状（本発明における平板部）をなしている。そして、コンデンサ正極側端子２２の一方側の面には、４つのコンデンサセル２４の正極側の端面が等間隔に当接している。また、コンデンサ負極側端子２３の一方側の面には、４つのコンデンサセル２４の負極側の端面が等間隔に当接している。
【００７６】
さらに、コンデンサ正極側端子２２には、隣接するコンデンサセル２４の間に、等間隔に３つの正極側切欠部２２ａが切欠き形成されている。また、コンデンサ負極側端子２３には、正極側切欠部２２ａに対向する位置であって、隣接するコンデンサセル２４の間に、等間隔に３つの負極側切欠部２３ａが切欠き形成されている。すなわち、正極側切欠部２２ａ及び負極側切欠部２３ａは、コンデンサセル２４の柱直交方向へ切欠き形成されていることになる。
【００７７】
ここで、これらの正極側切欠部２２ａは、図９の凹部からなる正極側電気接続孔２１ａの一部を構成し、負極側切欠部２３ａは、図９の凹部からなる負極側電気接続孔２１ｂの一部を構成する。
【００７８】
なお、図１０に示すコンデンサモジュール２の場合、各切欠部２２ａ、２３ａをコンデンサセル２４の柱直交方向へ切欠き形成しているので、電子部品モジュール１Ｕ、１Ｖ、１Ｗは、コンデンサセル２４の柱直交方向へ挿入させることになる。
【００７９】
（ｂ）次に、図１１に示すコンデンサモジュール２の内部構成の第２実施例について詳細に説明する。このコンデンサモジュール２のコンデンサ正極側端子２２及びコンデンサ負極側端子２３は、Ｌ字板状をなしている。そして、コンデンサ正極側端子２２の第１面（本発明における正極第１板部）には、４つのコンデンサセル２４の正極側の端面が等間隔に当接している。そして、コンデンサ正極側端子２２の第１面に対して略直交方向に屈曲形成された第２面（本発明における正極第２板部）は、コンデンサセル２４の外周面に隣接するようにされている。また、コンデンサ負極側端子２３の第１面（本発明における負極第１板部）には、４つのコンデンサセル２４の負極側の端面が等間隔に当接している。そして、コンデンサ負極側端子２３の第１面に対して略直交方向に屈曲形成された第２面（本発明における負極第２板部）は、コンデンサセル２４の外周面に隣接するようにされている。つまり、図１１に示すように、コンデンサ正極側端子２２の第１面とコンデンサ負極側端子２３の第１面とが対向しており、コンデンサ正極側端子２２の第２面とコンデンサ負極側端子２３の第２面とが対向している。
【００８０】
さらに、コンデンサ正極側端子２２の第２面の端側であって、隣接するコンデンサセル２４の間に、等間隔に３つの正極側切欠部２２ａが切欠き形成されている。また、コンデンサ負極側端子２３の第１面と第２面との屈曲部分であって、隣接するコンデンサセル２４の間に、等間隔に３つの負極側切欠部２３ａが切欠き形成されている。ここで、正極側切欠部２２ａは、図９の凹部からなる正極側電気接続孔２１ａの一部を構成する。また、負極側切欠部２３ａは、図９の凹部からなる負極側電気接続孔２１ｂの一部を構成する。
【００８１】
また、コンデンサ負極側端子２３の第２面の端側であって、コンデンサ正極側端子２２に形成された正極側切欠部２２ａに対向する位置には、非接触用切欠部２３ｂが形成されている。この非接触用切欠部２３ｂの切欠幅は、正極側切欠部２２ａの切欠幅よりも大きく形成されている。つまり、正極側切欠部２２ａにより構成される正極側接続孔２１ａに電子部品正極側端子１２が挿入された場合に、非接触用切欠部２３ｂにより、電子部品正極側端子１２がコンデンサ負極側端子２３に接触しないようにすることができる。
【００８２】
なお、図１１に示すコンデンサモジュール２の場合、各切欠部２２ａ、２３ａをコンデンサセル２４の柱方向へ切欠き形成しているので、電子部品モジュール１Ｕ、１Ｖ、１Ｗは、コンデンサセル２４の柱方向へ挿入させることになる。
【００８３】
（ｃ）次に、図１２に示すコンデンサモジュール２の内部構成の第３実施例について詳細に説明する。このコンデンサモジュール２のコンデンサ正極側端子２２は、Ｌ字板状をなしている。コンデンサ正極側端子２２の第１面（本発明における第１板部）には、４つのコンデンサセル２４の正極側の端面が等間隔に当接している。そして、コンデンサ正極側端子２２の第１面に対して略直交方向に屈曲形成された第２面（本発明における第２板部）は、コンデンサセル２４の外周面に隣接するようにされている。また、コンデンサ負極側端子２３は、平板状（本発明における平板部）をなしている。このコンデンサ負極側端子２３には、４つのコンデンサセル２４の負極側の端面が等間隔に当接している。
【００８４】
さらに、コンデンサ正極側端子２２の第２面の端側であって、隣接するコンデンサセル２４の間に、等間隔に３つの正極側切欠部２２ａが切欠き形成されている。また、コンデンサ負極側端子２３のうちコンデンサ正極側端子２２の第２面と反対側であって、隣接するコンデンサセル２４の間に、等間隔に３つの負極側切欠部２３ａが切欠き形成されている。ここで、正極側切欠部２２ａは、図９の凹部からなる正極側電気接続孔２１ａの一部を構成する。また、負極側切欠部２３ａは、図９の凹部からなる負極側電気接続孔２１ｂの一部を構成する。
【００８５】
また、コンデンサ負極側端子２３のうちコンデンサ正極側端子２２の第２面側であって、コンデンサ正極側端子２２に形成された正極側切欠部２２ａに対向する位置には、非接触用切欠部２３ｂが形成されている。この非接触用切欠部２３ｂの切欠幅は、正極側切欠部２２ａの切欠幅よりも大きく形成されている。つまり、正極側切欠部２２ａにより構成される正極側接続孔２１ａに電子部品正極側端子１２が挿入された場合に、非接触用切欠部２３ｂにより、電子部品正極側端子１２がコンデンサ負極側端子２３に接触しないようにすることができる。
【００８６】
なお、図１２に示すコンデンサモジュール２の場合、各切欠部２２ａ、２３ａをコンデンサセル２４の柱方向へ切欠き形成しているので、電子部品モジュール１Ｕ、１Ｖ、１Ｗは、コンデンサセル２４の柱方向へ挿入させることになる。
【００８７】
（ｄ）次に、図１３に示すコンデンサモジュール２の内部構成の第４実施例について詳細に説明する。このコンデンサモジュール２のコンデンサ正極側端子２２は、略コの字板状をなしている。コンデンサ正極側端子２２の第１面（本発明における第１板部）には、４つのコンデンサセル２４の正極側の端面が等間隔に当接している。そして、コンデンサ正極側端子２２の第１面に対して略直交方向に屈曲形成された第２面（本発明における第２板部）は、コンデンサセル２４の外周面に隣接するようにされている。コンデンサ正極側端子２２の第２面に対して略直交方向であって、４つのコンデンサセル２４の負極側の端面に対向する位置に第３面が屈曲形成されている。
【００８８】
また、コンデンサ負極側端子２３は、Ｌ字板状をなしている。コンデンサ負極側端子２３の第１面（本発明における平板部）には、４つのコンデンサセル２４の負極側の端面が等間隔に当接している。さらに、このコンデンサ負極側端子２３の第１面は、コンデンサ正極側端子２２の第３面に隣接している。そして、コンデンサ負極側端子２３の第１面に対して略直交方向に屈曲形成された第２面は、コンデンサセル２４の外周面に隣接するようにされている。つまり、図１３に示すように、コンデンサ正極側端子２２の第２面とコンデンサ負極側端子２３の第２面とが対向している。
【００８９】
さらに、コンデンサ正極側端子２２の第２面と第３面との屈曲部分であって、隣接するコンデンサセル２４の間に、等間隔に３つの正極側切欠部２２ａが切欠き形成されている。また、コンデンサ負極側端子２３の第１面と第２面との屈曲部分であって、隣接するコンデンサセル２４の間に、等間隔に３つの負極側切欠部２３ａが切欠き形成されている。ここで、正極側切欠部２２ａは、図９の凹部からなる正極側電気接続孔２１ａの一部を構成する。また、負極側切欠部２３ａは、図９の凹部からなる負極側電気接続孔２１ｂの一部を構成する。
【００９０】
なお、図１３に示すコンデンサモジュール２の場合、各切欠部２２ａ、２３ａをコンデンサセル２４の柱方向へ切欠き形成しているので、電子部品モジュール１Ｕ、１Ｖ、１Ｗは、コンデンサセル２４の柱方向へ挿入させることになる。
【００９１】
（ｅ）次に、図１４及び図１５に示すコンデンサモジュール２の内部構成の第５実施例及び第６実施例について詳細に説明する。このコンデンサモジュール２のコンデンサ正極側端子２２及びコンデンサ負極側端子２３は、それぞれ３枚に分割された平板状をなしている。そして、それぞれのコンデンサ正極側端子２２及びコンデンサ負極側端子２３には、１以上のコンデンサセル２４の正極側の端面及び負極側の端面がそれぞれ当接している。なお、図１４においては、それぞれのコンデンサ正極側端子２２及びコンデンサ負極側端子２３に、１つのコンデンサセル２４を当接させたものを示す。また、図１５においては、それぞれのコンデンサ正極側端子２２及びコンデンサ負極側端子２３に、２つのコンデンサセル２４を当接させたものを示す。
【００９２】
そして、それぞれのコンデンサ正極側端子２２及びコンデンサ負極側端子２３には、それぞれ正極側切欠部２２ａ及び負極側切欠部２３ａが形成されている。なお、これらの３枚ずつの端子２２、２３は、図示しない端子板により電気的に接続される。
【００９３】
（ｆ）次に、図１６に示すコンデンサモジュール２の内部構成の第７実施例について詳細に説明する。このコンデンサモジュール２のコンデンサ正極側端子２２は、正極側平板部２５及び正極側対向板２６を備えている。正極側平板部２５は、平板状からなり、４つのコンデンサセル２４の正極側の端面が等間隔に当接している。さらに、正極側平板部２５には、隣接するコンデンサセル２４の間に、等間隔に３つの正極側切欠部２５ａが切欠き形成されている。そして、正極側対向板２６は、対向配置される一対の平板からなり、それぞれ正極側切欠部２５ａに接合されている。さらに、正極側対向板２６は、コンデンサ正極側端子２２の外方及び内方へ突出している。
【００９４】
また、コンデンサ負極側端子２３は、負極側平板部２７及び負極側対向板２８を備えている。負極側平板部２７は、平板状からなり、４つのコンデンサセル２４の負極側の端面が等間隔に当接している。さらに、負極側平板部２７には、正極側平板部２５に形成された正極側切欠部２５ａに対向する位置であって、隣接するコンデンサセル２４の間に、等間隔に３つの負極側切欠部２７ａが形成されている。そして、負極側対向板２８は、対向配置される一対の平板からなり、それぞれ負極側切欠部２７ａに接合されている。さらに、負極側対向板２８は、コンデンサ負極側端子２３の外方及び内方へ突出している。
【００９５】
そして、このように正極側対向板２６及び負極側対向板２８を設けた場合において、各対向板２６、２８と、電子部品モジュール１Ｕ、１Ｖ、１Ｗの各電子部品端子１２、１３との接合について図１７を参照して説明する。図１７に示すように、各対向板２６、２８の間に電子部品モジュール１Ｕ、１Ｖ、１Ｗの各電子部品端子１２、１３を挿入する。そして、対向板２６、２８の外方の端部と各電子部品端子１２、１３のうちの外方の端部とを溶接接合する。このようにして、対向板２６、２８と各電子部品端子１２、１３とを一体的に固定すると共に、電気的に接続する。
【００９６】
（ｇ）次に、図１８に示すコンデンサモジュール２の内部構成の第８実施例について詳細に説明する。このコンデンサモジュール２のコンデンサ正極側端子２２は、正極側平板部２５及び正極側突出板２９を備えている。正極側平板部２５は、平板状からなり、４つのコンデンサセル２４の正極側の端面が等間隔に当接している。さらに、正極側平板部２５には、隣接するコンデンサセル２４の間に、等間隔に３つの正極側切欠部２５ａが切欠き形成されている。そして、正極側突出板２９は、平板状からなり、それぞれの正極側切欠部２５ａにてコンデンサ正極側端子２２の外方に正極側平板部２５に対して屈曲して突出形成されている。すなわち、正極側突出板２９は、正極側切欠部２５ａに接合されている。
【００９７】
また、コンデンサ負極側端子２３は、負極側平板部２７及び負極側突出板３０を備えている。負極側平板部２７は、平板状からなり、４つのコンデンサセル２４の負極側の端面が等間隔に当接している。さらに、負極側平板部２７には、隣接するコンデンサセル２４の間に、等間隔に３つの負極側切欠部２７ａが切欠き形成されている。そして、負極側突出板３０は、平板状からなり、それぞれの負極側切欠部２７ａにてコンデンサ負極側端子２３の外方に負極側平板部２７に対して屈曲して突出形成されている。すなわち、負極側突出３０は、負極側切欠部２７ａに接合されている。
【００９８】
そして、このように正極側突出板２９及び負極側突出板３０を設けた場合において、各突出板２９、３０と、電子部品モジュール１Ｕ、１Ｖ、１Ｗの各電子部品端子１２、１３との接合について図１９を参照して説明する。図１９に示すように、各突出板２９、３０の間に電子部品モジュール１Ｕ、１Ｖ、１Ｗの各電子部品端子１２、１３を挿入する。そして、突出板２９、３０の外方の端部と各電子部品端子１２、１３のうちの外方の端部とを溶接接合する。このようにして、突出板２９、３０と各電子部品端子１２、１３とを一体的に固定すると共に、電気的に接続する。
【００９９】
（４．３）図８又は図９の凹部の実施例
次に、図８又は図９に示す正極側電気接続孔２１ａ及び負極側電気接続孔２１ｂである凹部の実施例について、図２０〜図２３を参照して詳細に説明する。図２０は、凹部の第１実施例の斜視図を示し、図２１は、凹部の第２実施例の斜視図を示す。図２２は、凹部の第３実施例の斜視図を示し、図２３（ａ）（ｂ）は、凹部の第３実施例の正面図、平面図を示す。
【０１００】
（ａ）まず、図２０を参照して、凹部の第１実施例について説明する。図２０に示す凹部３１は、板を屈曲して形成されている。そして、当該凹部３１を形成する対向板のうち一方側は、当該対向板のうち他方側に向かって湾曲した弾性部３１ａを形成している。そして、この弾性部３１ａは、凹部３１の対向板間隔を弾性的に変化できるようにしている。つまり、凹部３１に電子部品正極側端子１２又は電子部品負極側端子１３が挿入される場合には、弾性部３１ａが電子部品正極側端子１２又は電子部品負極側端子１３に確実に当接すると共に、弾性部３１ａが電子部品正極側端子１２又は電子部品負極側端子１３を押圧保持する。
【０１０１】
（ｂ）次に、図２１を参照して、凹部の第２実施例について説明する。図２１に示す凹部３２は、板を屈曲して形成されている。そして、当該凹部３２を形成する対向板の何れもが、当該対向板の他方側に向かって湾曲した弾性部３２ａ、３２ａを形成している。すなわち、弾性部３２ａ、３２ａは、凹部３２の対向板間隔を弾性的に変化できるようにしている。つまり、凹部３２に電子部品正極側端子１２又は電子部品負極側端子１３が挿入される場合には、弾性部３２ａ、３２ａが電子部品正極側端子１２又は電子部品負極側端子１３に確実に当接すると共に、弾性部３２ａ、３２ａが電子部品正極側端子１２又は電子部品負極側端子１３を押圧保持する。
【０１０２】
（ｃ）次に、図２２及び図２３を参照して、凹部の第３実施例について説明する。図２２及び図２３に示す凹部３３は、板を屈曲して形成されている。そして、当該凹部３３を形成する対向板のうち一方側は、当該対向板のうち他方側に向かって湾曲した弾性部３３ａを形成している。そして、この弾性部３３ａは、凹部３３の対向板間隔を弾性的に変化できるようにしている。さらに、弾性部３３ａのうちほぼ中央には、対向板の他方側に向かって突出した突起部３３ｂが形成されている。この突起部３３ｂは、部分球面状をなしている。
【０１０３】
ここで、電子部品正極側端子１２及び電子部品負極側端子１３には、上記突起部３３ｂに係合することができる貫通孔又は凹部を形成しておく。つまり、凹部３３に電子部品正極側端子１２又は電子部品負極側端子１３が挿入される場合には、弾性部３３ａが電子部品正極側端子１２又は電子部品負極側端子１３に確実に当接すると共に、弾性部３１ａが電子部品正極側端子１２又は電子部品負極側端子１３を押圧保持する。さらに、凹部３３の突起部３３ｂが、電子部品正極側端子１２又は電子部品負極側端子１３の貫通孔又は凹部に係合することで、両者の位置決めがされる。
【０１０４】
（４．４）電子部品モジュール１Ｕ、１Ｖ、１Ｗのコンデンサモジュール２への固定に関する実施例
次に、各相の電子部品モジュール１Ｕ、１Ｖ、１Ｗのコンデンサモジュール２への固定に関する実施例について、図２４〜図３１を参照して説明する。
【０１０５】
（ａ）まず、図２４及び図２５を参照して、当該固定に関する第１実施例について説明する。図２４は、電子部品モジュール１Ｕ等の外観斜視図を示す。図２５（ａ）は、コンデンサモジュール２の外観斜視図を示し、図２５（ｂ）は、コンデンサモジュール２の右側面図を示す。
【０１０６】
図２４に示すように、各相の電子部品モジュール１Ｕ等は、電子部品筐体部１１と、電子部品正極側端子１２と、電子部品負極側端子１３と、信号端子１５とを備える。なお、説明を容易化するために、上記実施例の電子部品モジュール１Ｕの出力端子１４に相当する部分を省略している。そして、電子部品筐体部１１及び信号端子１５は、上記実施例のものと同様であるので、説明を省略する。
【０１０７】
電子部品正極側端子１２及び電子部品負極側端子１３は、凹部挿入部１２ａ、１３ａと、凹部挿入部１２ａ、１３ａの外端側を略直交方向に屈曲形成された締結部１２ｂ、１３ｂとを有する。凹部挿入部１２ａ、１３ａは、上記実施例の各端子１２、１３に相当する部分である。締結部１２ｂ、１３ｂは、それぞれ対向しており、中央に貫通孔が形成されている。
【０１０８】
図２５（ａ）（ｂ）に示すように、コンデンサモジュール２は、コンデンサ筐体部２１の下面角部に、凹部からなる３つの正極側電気接続孔２１ａ及び凹部からなる３つの負極側電気接続孔２１ｂが形成されている。さらに、正極側電気接続孔２１ａ及び負極側電気接続孔２１ｂに隣接する位置であって、コンデンサ筐体部２１の左右側面には、６つの雌ねじ２１ｃが形成されている。
【０１０９】
そして、電子部品モジュール１Ｕ等とコンデンサモジュール２とを固定する際には、まず電子部品モジュール１Ｕの電子部品正極側端子１２の凹部挿入部１２ａを正極側電気接続孔２１ａに挿入し、電子部品負極側端子１３の凹部挿入部１３ａを負極側電気接続孔２１ｂに挿入する。このとき、電子部品正極側端子１２の締結部１２ｂに形成された貫通孔とコンデンサ筐体部２１に形成された雌ねじ２１ｃ、及び、電子部品負極側端子１３の締結部１３ｂに形成された貫通孔とコンデンサ筐体部２１に形成された雌ねじ２１ｃがそれぞれ一致するようにする。
【０１１０】
そして、締結用ボルト（図示せず）を締結部１２ｂ、１３ｂに形成された貫通孔を貫通させ、コンデンサ筐体部２１に形成された雌ねじ２１ｃに螺合することで、電子部品正極側端子１２及び電子部品負極側端子１３とコンデンサモジュール２とを一体的に固定する。
【０１１１】
（ｂ）次に、図２６〜図２８を参照して、各相の電子部品モジュール１Ｕ、１Ｖ、１Ｗのコンデンサモジュール２への固定に関する第２実施例について説明する。図２６は、コンデンサモジュール２の電気接続孔２１ａ、２１ｂの部分斜視図を示す。図２７は、締結部材４１の斜視図を示す。図２８は、電子部品モジュール１Ｕ等をコンデンサモジュール２へ固定した状態を示す断面図である。
【０１１２】
図２６に示すように、コンデンサモジュール２の凹部からなる電気接続孔２１ａ、２１ｂは、コンデンサ筐体部２１の左右側面から奥側に向かって開口幅が狭くなる略台形形状をなしている。詳細には、凹部からなる電気接続孔２１ａ、２１ｂの一方端面は、コンデンサ筐体部２１の側面に対して略直交し、他方端面は、コンデンサ筐体部２１の側面に対して傾斜している。さらに、コンデンサ筐体部２１の左右側面には、凹部からなるそれぞれの電気接続孔２１ａ、２１ｂの両側に雌ねじ２１ｄが形成されている。
【０１１３】
また、図２７に示すように、締結部材４１は、板状からなり、中央が略台形状に突出している。詳細には、締結部材４１は、貫通孔が形成された締結部４１ａ、４１ｂと、締結部４１ａ、４１ｂを連結し略台形状に突出したくさび状突起部４１ｃとから構成される。くさび状突起部４１ｃの対向板のうち一方側面は、締結部４１ａの端側を略直交方向に屈曲形成されている。一方、くさび状突起部４１ｃの対向板のうち他方側面は、締結部４１ｂの端側を傾斜した状態に屈曲形成されている。このような形状からなるくさび状突起部４１ｃは、コンデンサモジュール２に形成された電気接続孔２１ａ、２１ｂに挿入可能である。
【０１１４】
そして、電子部品モジュール１Ｕ等とコンデンサモジュール２とを固定する際には、まず電子部品モジュール１Ｕの電子部品正極側端子１２及び電子部品負極側端子１３を正極側電気接続孔２１ａ及び負極側電気接続孔２１ｂにそれぞれ挿入する。このとき、図２８に示すように、各電子部品端子１２、１３は、電気接続孔２１ａ、２１ｂの一方端面に当接するようにしておく。
【０１１５】
続いて、締結部材４１のくさび状突起部４１ｃをコンデンサ筐体部２１の側面側から電気接続孔２１ａ、２１ｂに挿入する。このとき、締結部材４１の締結部４１ａ、４１ｂに形成された貫通孔とコンデンサ筐体部２１に形成された雌ねじ２１ｄとがそれぞれ一致するようにする。
【０１１６】
そして、締結用ボルト４２を締結部４１ａ、４１ｂに形成された貫通孔を貫通させ、コンデンサ筐体部２１に形成された雌ねじ２１ｄに螺合する。これにより、締結部材４１は、コンデンサ筐体部２１に固定されると共に、電子部品正極側端子１２及び電子部品負極側端子１３を電気接続孔２１ａ、２１ｂにて押圧保持する。
【０１１７】
（ｃ）次に、図２９〜図３１を参照して、各相の電子部品モジュール１Ｕ、１Ｖ、１Ｗのコンデンサモジュール２への固定に関する第３実施例について説明する。図２９は、コンデンサモジュール２と締結部材５１とを示す斜視図である。図３０は、電子部品モジュール１Ｕ等をコンデンサモジュール２へ固定した状態を示す断面図である。図３１は、変形例の締結部材６１を示す図である。
【０１１８】
図２９に示すように、コンデンサモジュール２のコンデンサ筐体部２１の下面側には、凹部からなる正極側電気接続孔２１ａ及び負極側電気接続孔２１ｂがそれぞれ３つずつ形成されている。さらに、コンデンサ筐体部２１の手前側の両端には、雌ねじ２１ｅが２つ形成されている。
【０１１９】
また、図２９に示すように、締結部材５１は、略Ｌ字型の連結保持部５１ａと、くさび状部５１ｂとから構成される。連結保持部５１ａの第１面には、ほぼ中央に貫通孔が形成されている。連結保持部５１ａの第１面に対して略直交方向に屈曲形成された第２面は、コンデンサ筐体部２１の幅とほぼ同等の長さからなる。くさび状部５１ｂは、略矩形板状からなり、連結保持部５１ａの第２面側に、連結保持部５１ａに対して略直交するように３つ固定されている。これら３つのくさび状部５１ｂは、コンデンサ筐体部２１に形成された凹部からなる電気接続孔２１ａ、２１ｂに、コンデンサ筐体部２１の側面側から挿入可能な大きさとしている。
【０１２０】
そして、電子部品モジュール１Ｕ等とコンデンサモジュール２とを固定する際には、まず電子部品モジュール１Ｕの電子部品正極側端子１２及び電子部品負極側端子１３を正極側電気接続孔２１ａ及び負極側電気接続孔２１ｂにそれぞれ挿入する。このとき、図３０に示すように、各電子部品端子１２、１３は、電気接続孔２１ａ、２１ｂのうち雌ねじ２１ｅから遠い側の面に当接するようにしておく。
【０１２１】
続いて、締結部材５１のくさび状部５１ｂをコンデンサ筐体部２１の側面側から電気接続孔２１ａ、２１ｂに挿入する。そして、締結用ボルト５２を連結保持部５１ａの第１面に形成された貫通孔を貫通させ、コンデンサ筐体部２１に形成された雌ねじ２１ｅに螺合する。これにより、締結部材４１は、コンデンサ筐体部２１に固定されると共に、電子部品正極側端子１２及び電子部品負極側端子１３を電気接続孔２１ａ、２１ｂにて押圧保持する。
【０１２２】
なお、締結部材５１の変形例として、図３１に示す締結部材６１を用いても良い。図３１に示す締結部材６１は、板を屈曲して形成することで、連結保持部５１ａ及びくさび上部５１ｂに相当する形状を形成することができる。
【０１２３】
（５）その他
なお、上記実施例において、電子部品モジュール１Ｕ、１Ｖ、１Ｗは、上アーム用電子部品及び下アーム用電子部品を含む構成としたが、これに限られるものではない。例えば、上アーム用電子部品と下アーム用電子部品とをそれぞれ別個のモジュールとして構成してもよい。この場合、電子部品モジュールは、Ｕ相上アーム用電子部品モジュールと、Ｕ相下アーム用電子部品モジュールと、Ｖ相上アーム用電子部品モジュールと、Ｖ相下アーム用電子部品モジュールと、Ｗ相上アーム用電子部品モジュールと、Ｗ相下アーム用電子部品モジュールとからなる。
【図面の簡単な説明】
【０１２４】
【図１】コンデンサモジュール２の回路図である。
【図２】本実施例の電力変換装置の回路図である。
【図３】各相の電子部品モジュール１Ｕ、１Ｖ、１Ｗの外観構成を示す斜視図である。
【図４】コンデンサモジュール２の外観構成を示す斜視図である。
【図５】インバータ装置全体の外観構成を示す斜視図である。
【図６】図５のＡ−Ａ断面図である。
【図７】図５のＢ−Ｂ断面図である。
【図８】コンデンサモジュール２の他の第１実施例の斜視図である。
【図９】コンデンサモジュール２の他の第２実施例の斜視図である。
【図１０】コンデンサモジュール２の内部構成の第１実施例である。
【図１１】コンデンサモジュール２の内部構成の第２実施例である。
【図１２】コンデンサモジュール２の内部構成の第３実施例である。
【図１３】コンデンサモジュール２の内部構成の第４実施例である。
【図１４】コンデンサモジュール２の内部構成の第５実施例である。
【図１５】コンデンサモジュール２の内部構成の第６実施例である。
【図１６】コンデンサモジュール２の内部構成の第７実施例である。
【図１７】図１６のコンデンサモジュール２を構成する切欠部の断面形状を示す図である。
【図１８】コンデンサモジュール２の内部構成の第８実施例である。
【図１９】図１８のコンデンサモジュール２を構成する切欠部の断面形状を示す図である。
【図２０】凹部の第１実施例の斜視図である。
【図２１】凹部の第２実施例の斜視図である。
【図２２】凹部の第３実施例の斜視図である。
【図２３】凹部の第３実施例の正面図及び平面図である。
【図２４】電子部品モジュール１Ｕ等のコンデンサモジュール２への固定に関する第１実施例における電子部品モジュール１Ｕ等の外観斜視図である。
【図２５】電子部品モジュール１Ｕ等のコンデンサモジュール２への固定に関する第１実施例におけるコンデンサモジュール２の外観斜視図及び右側面図を示す。
【図２６】電子部品モジュール１Ｕ等のコンデンサモジュール２への固定に関する第２実施例におけるコンデンサモジュール２の電気接続孔２１ａ、２１ｂの部分斜視図である。
【図２７】電子部品モジュール１Ｕ等のコンデンサモジュール２への固定に関する第２実施例における締結部材４１の斜視図である。
【図２８】電子部品モジュール１Ｕ等のコンデンサモジュール２への固定に関する第２実施例における電子部品モジュール１Ｕ等とコンデンサモジュール２とを固定した状態を示す断面図である。
【図２９】電子部品モジュール１Ｕ等のコンデンサモジュール２への固定に関する第３実施例におけるコンデンサモジュール２と締結部材５１とを示す斜視図である。
【図３０】電子部品モジュール１Ｕ等のコンデンサモジュール２への固定に関する第３実施例における電子部品モジュール１Ｕ等とコンデンサモジュールとを固定した状態を示す断面図である。
【図３１】変形例の締結部材６１を示す図である。
【符号の説明】
【０１２５】
１：電力変換回路、  ２：コンデンサモジュール、  １Ｕ：Ｕ相電子部品モジュール、  １Ｖ：Ｖ相電子部品モジュール、  １Ｗ：Ｗ相電子部品モジュール、  １１：電子部品筐体部、  １２：電子部品正極側端子、  １２ａ：凹部挿入部、  １２ｂ：締結部、  １３：電子部品負極側端子、  １３ａ：凹部挿入部、  １３ｂ：締結部、  １４：出力端子、  １５：信号端子、  ２１：コンデンサ筐体部、  ２１ａ：正極側電気接続孔、  ２１ｂ：負極側電気接続孔、  ２１ｃ、２１ｄ、２１ｅ：雌ねじ、  ２２：コンデンサ正極側端子、  ２２ａ：正極側切欠部、  ２３：コンデンサ負極側端子、  ２３ａ：負極側切欠部、  ２３ｂ：非接触用切欠部、  ２４：コンデンサセル、  ２５：正極側平板部、  ２５ａ：正極側切欠部、  ２６：正極側対向板、  ２７：負極側平板部、  ２７ａ：負極側切欠部、  ２８：負極側対向板、  ２９：正極側屈曲部、  ３０：負極側屈曲部、  ３１：凹部、  ３１ａ：弾性部、  ３２：凹部、  ３２ａ：弾性部、  ３３：凹部、  ３３ａ：弾性部、  ３３ｂ：突起部、  ４１：締結部材、  ４１ａ、４１ｂ：締結部、  ４１ｃ：くさび状突起部、  ４２：締結用ボルト、  ５１、６１：締結部材、  ５１ａ：連結保持部、  ５１ｂ：くさび状部
【図１】
2006136189.tif 000003
【図２】
2006136189.tif 000004
【図３】
2006136189.tif 000005
【図４】
2006136189.tif 000006
【図５】
2006136189.tif 000007
【図６】
2006136189.tif 000008
【図７】
2006136189.tif 000009
【図８】
2006136189.tif 000010
【図９】
2006136189.tif 000011
【図１０】
2006136189.tif 000012
【図１１】
2006136189.tif 000013
【図１２】
2006136189.tif 000014
【図１３】
2006136189.tif 000015
【図１４】
2006136189.tif 000016
【図１５】
2006136189.tif 000017
【図１６】
2006136189.tif 000018
【図１７】
2006136189.tif 000019
【図１８】
2006136189.tif 000020
【図１９】
2006136189.tif 000021
【図２０】
2006136189.tif 000022
【図２１】
2006136189.tif 000023
【図２２】
2006136189.tif 000024
【図２３】
2006136189.tif 000025
【図２４】
2006136189.tif 000026
【図２５】
2006136189.tif 000027
【図２６】
2006136189.tif 000028
【図２７】
2006136189.tif 000029
【図２８】
2006136189.tif 000030
【図２９】
2006136189.tif 000031
【図３０】
2006136189.tif 000032
【図３１】
2006136189.tif 000033